(57)【特許請求の範囲】
【請求項１】
コンピュータ装置での処理に対応する処理対応画面が表示ユニットに表示された状態で、設定されたスクリーンセーバの実行待ち時間に操作信号が前記コンピュータ装置に入力されないときに、前記表示ユニットの画面を処理対応画面からスクリーンセーバ画面に切り換え、その後、前記操作信号がコンピュータ装置に入力されたときに前記表示ユニットの画面をスクリーンセーバ画面から処理対応画面に復帰させるようにしたスクリーンセーバ制御装置において、
前記スクリーンセーバ画面が維持されている時間を計測する計時手段と、
前記計時手段にて計測された時間に基づいて前記スクリーンセーバの実行待ち時間を制御する待ち時間制御手段とを備えたスクリーンセーバ制御装置。
【請求項２】
請求項１記載のスクリーンセーバ制御装置において、
前記待ち時間制御手段は、計測された時間が予め定めた第一の基準時間より短い場合に、前記スクリーンセーバの実行待ち時間を長くする待ち時間延長手段を備えたスクリーンセーバ制御装置。
【請求項３】
請求項１又は２記載のスクリーンセーバ制御装置において、
前記待ち時間制御手段は、計測された時間が予め定めた第二の基準時間より長い場合に、前記スクリーンセーバの実行待ち時間を短くする待ち時間短縮手段を備えたスクリーンセーバ制御装置。
【請求項４】
請求項１乃至３いずれか記載のスクリーンセーバ制御装置において、
前記計時手段は、処理対応画面からスクリーンセーバ画面に切り換わった第一の時刻を取得する第一の時刻取得手段と、
前記スクリーンセーバ画面から処理対応画面に復帰した第二の時刻を取得する第二の時刻取得手段と、
前記第一の時刻取得手段及び第二の時刻取得手段にてそれぞれ取得された前記第一及び第二の時刻からスクリーンセーバ画面が維持されていた時間を演算する時間演算手段とを備えたスクリーンセーバ制御装置。
【請求項５】
コンピュータ装置での処理に対応する処理対応画面が表示ユニットに表示された状態で、設定されたスクリーンセーバの実行待ち時間に操作信号が前記コンピュータ装置に入力されないときに、前記表示ユニットの画面を処理対応画面からスクリーンセーバ画面に切り換え、その後、前記操作信号がコンピュータ装置に入力されたときに前記表示ユニットの画面をスクリーンセーバ画面から処理対応画面に復帰させるようにしたスクリーンセーバ制御装置での処理を当該コンピュータ装置に行わせるためのプログラムを格納した記録媒体において、
前記スクリーンセーバ画面が維持されている時間を計測する計時手順と、
前記計時手順にて計測された時間に基づいて前記スクリーンセーバの実行待ち時間を制御する待ち時間制御手順とを備えたプログラムを格納した記録媒体。
【発明の詳細な説明】
【０００１】
【発明の属する技術分野】
本発明は、スクリーンセーバ制御装置に係り、特に、スクリーンセーバの実行待ち時間を制御するスクリーンセーバ制御装置に関する。また、本発明は、そのようなスクリーンセーバ制御装置での処理をコンピュータに行わせるためのプログラムを格納した記録媒体に関する。
【０００２】
【従来の技術】
コンピュータ装置に利用されるディスプレイ等の表示ユニットは、同一画面を長時間表示していると、表示ユニットの電源を切ってもその同一画面の跡が残ることがある。この現象は、「焼き付き」と呼ばれている。コンピュータ装置には、この表示ユニットの焼き付きを防ぐために、コンピュータ装置に一定時間操作信号が入力されないと自動的に画面を暗くしたり、グラフィックを継続的に画面上で動かしたりするスクリーンセーバ機能がある。
【０００３】
現在、スクリーンセーバ機能は、コンピュータ装置に利用されるオペレーティングシステム（Ｏｐｅｒａｔｉｎｇ  Ｓｙｓｔｅｍ）に備えられていることが多い。このスクリーンセーバ機能は、スクリーンセーバの実行待ち時間をオペレーティングシステム上で設定することにより、そのスクリーンセーバの実行待ち時間にコンピュータ装置の入力ユニットである、例えば，キーボード，マウス等から操作信号が入力されない場合に表示ユニットの画面を、コンピュータ装置での処理に対応する処理対応画面からスクリーンセーバ画面に切り換える。
【０００４】
また、スクリーンセーバ機能は、表示ユニットの画面がスクリーンセーバ画面に切り換わっている状態でコンピュータ装置の入力ユニットに操作信号が入力されると、表示ユニットの画面を直ちにスクリーンセーバ画面から処理対応画面に切り換える。このような、スクリーンセーバ機能は、画面の焼き付き防止のために重要な機能である。
【０００５】
【発明が解決しようとする課題】
しかしながら、従来、スクリーンセーバ機能は、予めスクリーンセーバの実行待ち時間をオペレーティングシステム上で設定しておく必要がある。例えば、プログラム開発中等で思考時間が長く、コンピュータ装置への操作信号の入力が少ない場合には、予め設定しておいたスクリーンセーバの実行待ち時間を経過してしまい、スクリーンセーバ機能を必要としないときに処理対応画面からスクリーンセーバ画面に切り換わってしまうという問題があった。
【０００６】
この場合、コンピュータ装置の使用者は、表示ユニットの画面をスクリーンセーバ画面から処理対応画面に切り換えるために、入力ユニットに操作信号を入力しなければならず、作業効率の低下を招くという問題があった。
本発明は、上記の点に鑑みてなされたもので、本発明の第一の課題は、スクリーンセーバ実行までの待ち時間をユーザの作業状態に応じて可変制御することのできるスクリーンセーバ制御装置を提供することである。
【０００７】
また、本発明の第二の課題は、そのようなスクリーンセーバ制御装置での処理をコンピュータに行わせるためのプログラムを格納した記録媒体を提供することである。
【０００８】
【課題を解決するための手段】
そこで、上記第一の課題を解決するため、本発明は、請求項１に記載されるように、コンピュータ装置での処理に対応する処理対応画面が表示ユニットに表示された状態で、設定されたスクリーンセーバの実行待ち時間に操作信号が前記コンピュータ装置に入力されないときに、前記表示ユニットの画面を処理対応画面からスクリーンセーバ画面に切り換え、その後、前記操作信号がコンピュータ装置に入力されたときに前記表示ユニットの画面をスクリーンセーバ画面から処理対応画面に復帰させるようにしたスクリーンセーバ制御装置において、前記スクリーンセーバ画面が維持されている時間を計測する計時手段と、前記計時手段にて計測された時間に基づいて前記スクリーンセーバの実行待ち時間を制御する待ち時間制御手段とを備えるように構成される。
【０００９】
このようなスクリーンセーバ制御装置では、処理対応画面が表示ユニットに表示された状態で、設定されたスクリーンセーバの実行待ち時間に操作信号がコンピュータ装置に入力されないと、表示ユニットの画面を表示対応画面からスクリーンセーバ画面に切り換える。その後、ユーザが処理対応画面を必要として何らかの操作を行って、その操作に基づいた操作信号がコンピュータ装置に入力されると、表示ユニットの画面がスクリーンセーバ画面から処理対応画面に復帰される。
【００１０】
この時、スクリーンセーバ画面が維持されている時間（スクリーンセーバ画面の維持時間）が計測される。そして、この計測されたスクリーンセーバ画面の維持時間に基づいてスクリーンセーバの実行待ち時間が変更される。前記のように、表示ユニットの画面が処理対応画面に復帰された後、変更されたスクリーンセーバの実行待ち時間に操作信号がコンピュータ装置に入力されなければ、再度、処理対応画面からスクリーンセーバ画面に切り換えられる。
【００１１】
スクリーンセーバ画面に切り換えられてから、ユーザの操作に基づいた操作信号がコンピュータ装置に入力されるまでの時間がスクリーンセーバ画面の維持時間となる。このスクリーンセーバ画面の維持時間が極端に短いと、ユーザは本来スクリーンセーバ画面を必要とせず、処理対応画面を見ながらの作業を継続したかったと見なすことができる。一方、スクリーンセーバ画面の維持時間が長い場合、ユーザの処理対応画面を見ながらの作業が少ないと見なすことができる。
【００１２】
このように、スクリーンセーバ画面の維持時間は、コンピュータ装置を用いたユーザの作業状態を反映している。従って、このスクリーンセーバ画面の維持時間に基づいてスクリーンセーバの実行待ち時間を制御することにより、このスクリーンセーバの実行待ち時間は、ユーザの作業状態を反映したものとなる。
ユーザが本来スクリーンセーバ画面を必要としなかったと見なすことができる場合には、できるだけ処理対応画面の表示時間を長くするという観点から、本発明は、請求項２に記載されるように、前記スクリーンセーバ制御装置において、前記待ち時間制御手段は、計測された時間が予め定めた第一の基準時間より短い場合に、前記スクリーンセーバの実行待ち時間を長くする待ち時間延長手段を備えるように構成することができる。
【００１３】
このようなスクリーンセーバ制御装置によれば、計測された時間（スクリーンセーバ画面の維持時間）が第一の基準時間より短い場合は、スクリーンセーバの実行待ち時間が長くされる。その結果、処理対応画面の表示時間が長くなる。前記第一の基準時間は、ユーザがスクリーンセーバ画面を必要としなかったと見なすことのできるスクリーンセーバ画面の維持時間（僅かな維持時間）に基づいて定められる。
【００１４】
一方、ユーザが作業を行っていない場合は、できるだけスクリーンセーバ画面に切り換えておくことが表示ユニットの焼き付きを防止する観点から望ましい。ユーザの処理対応画面を見ながらの作業が少ないと見なすことができる場合は、できるだけ早くスクリーンセーバ画面に切り換えることができるようにするという観点から、本発明は、請求項３に記載されるように、前記各スクリーンセーバ制御装置において、前記待ち時間制御手段は、計測された時間が予め定めた第二の基準時間より長い場合に、前記スクリーンセーバの実行待ち時間を短くする待ち時間短縮手段を備えるように構成することができる。
【００１５】
このようなスクリーンセーバ制御装置では、計測されたスクリーンセーバ画面の維持時間が第二の基準時間より長い場合は、スクリーンセーバの実行待ち時間が短くされる。その結果、コンピュータ装置に操作信号の入力がない場合は、比較的早くスクリーンセーバ画面に切り換わる。前記第二の基準時間は、ユーザがスクリーンセーバ画面を必要としなかったと見なすことのできるスクリーンセーバ画面の維持時間より長い時間に適宜決定される。
【００１６】
コンピュータ装置が備える時計機能を用いて、スクリーンセーバ画面の維持時間を計測する計時手段を簡単に構成するという観点から、本発明は、請求項４に記載されるように、前記各スクリーンセーバ制御装置において、前記計時手段は、処理対応画面からスクリーンセーバ画面に切り換わった第一の時刻を取得する第一の時刻取得手段と、前記スクリーンセーバ画面から処理対応画面に復帰した第二の時刻を取得する第二の時刻取得手段と、前記第一の時刻取得手段及び第二の時刻取得手段にてそれぞれ取得された前記第一及び第二の時刻からスクリーンセーバ画面が維持されていた時間を演算する時間演算手段とを備えるように構成することができる。
【００１７】
このようなスクリーンセーバ制御装置によれば、コンピュータ装置が最初から備える時計機能によりスクリーンセーバ画面の維持時間が計測される。その結果、計時手段が簡単に構成される。
また、上記第二の課題を解決するため、本発明は、請求項５に記載されるように、コンピュータ装置での処理に対応する処理対応画面が表示ユニットに表示された状態で、設定されたスクリーンセーバの実行待ち時間に操作信号が前記コンピュータ装置に入力されないときに、前記表示ユニットの画面を処理対応画面からスクリーンセーバ画面に切り換え、その後、前記操作信号がコンピュータ装置に入力されたときに前記表示ユニットの画面をスクリーンセーバ画面から処理対応画面に復帰させるようにしたスクリーンセーバ制御装置での処理を当該コンピュータ装置に行わせるためのプログラムを格納した記録媒体において、前記スクリーンセーバ画面が維持されている時間を計測する計時手順と、前記計時手順にて計測された時間に基づいて前記スクリーンセーバの実行待ち時間を制御する待ち時間制御手順とを備えたプログラムを格納するように構成される。
【００１８】
なお、このプログラムを格納する記録媒体は、ＣＤ−ＲＯＭ、フロッピーディスク、光磁気ディスク（ＭＯ）等の様に情報を磁気的に記憶する磁気記録媒体、ＲＯＭ、フラッシュメモリ等の様に情報を電気的に記録する半導体メモリ等、様々のタイプの記録媒体を用いることができる。
【００１９】
【発明の実施の形態】
以下、本発明の実施の形態について図面に基づいて説明する。
図１は、本発明の実施の一形態に係るスクリーンセーバ制御装置を実現するコンピュータ装置のハードウエアの構成図を示す。
スクリーンセーバとは、コンピュータ装置に利用されるディスプレイ等の表示ユニットに長時間同一画面を表示すると、表示ユニットの電源を切ってもその同一画面の跡が残る表示ユニットの焼き付き現象を防ぐための機能である。
【００２０】
スクリーンセーバ機能は、予めスクリーンセーバの実行待ち時間を設定しておき、そのスクリーンセーバの実行待ち時間の間にコンピュータ装置に入力がないと、自動的に画面を暗くしたり、所定のグラフィックを断続的に画面上で動かしたりするスクリーンセーバ画面に切り換えることで表示ユニットの焼き付きを防止している。
【００２１】
図１において、このコンピュータ装置１０は、それぞれバスＢで相互に接続されている入力ユニット２０と，表示ユニット３０と，ドライブユニット４０と，記録媒体５０と，補助記憶ユニット６０と、メモリユニット７０と、演算処理ユニット８０とで構成される。
入力ユニット２０は、コンピュータ装置１０の使用者が操作するキーボード及びマウス等で構成され、コンピュータ装置１０に各種操作信号を入力するために用いられる。
【００２２】
表示ユニット３０は、処理対応画面時にコンピュータ装置１０を操作するのに必要な各種ウィンドウやデータ等を表示し、所定の時間コンピュータ装置１０に入力操作がないとスクリーンセーバ画面を表示する。
スクリーンセーバ制御装置に関するプログラムは、例えば、ＣＤ−ＲＯＭ等の記録媒体５０によって提供される。スクリーンセーバ制御装置に関するプログラムを格納した記録媒体５０は、ドライブユニット４０にセットされ、プログラムが記録媒体５０からドライブユニット４０を介して補助記憶ユニット６０にインストールされる。
【００２３】
補助記憶ユニット６０は、インストールされたスクリーンセーバ制御装置に関するプログラムを格納すると共に、必要なファイル，データ及びスクリーンセーバのグラフィックデータ等を格納する。
メモリユニット７０は、コンピュータ装置１０の起動時に補助記憶ユニット６０からスクリーンセーバ制御装置に関するプログラムを読み出し、記憶する。
【００２４】
演算処理ユニット８０は、メモリユニット７０に読み出され記憶されたスクリーンセーバ制御装置に関するプログラムに従って、スクリーンセーバ制御装置に係る処理を実行する。
上記スクリーンセーバ制御装置に係るプログラムは、コンピュータ装置１０の使用者がスクリーンセーバの実行待ち時間の間に入力ユニット２０から操作データを入力せず、処理対応画面からスクリーンセーバ画面に切り換えられたスクリーンセーバ開始の時刻と、その後、コンピュータ装置１０のユーザが入力ユニット２０から操作データを入力し、スクリーンセーバ画面から処理対応画面に切り換えられたスクリーンセーバ解除の時刻とをオペレーティングシステム又はハードウエアから供給される。
【００２５】
上記、処理対応画面からスクリーンセーバ画面に切り換えられた時刻と、スクリーンセーバ画面から処理対応画面に切り換えられた時刻とに基づいて、スクリーンセーバ画面の維持時間を計測し、そのスクリーンセーバ画面の維持時間によりコンピュータ装置１０のユーザの作業状態を判断する。
例えば、スクリーンセーバ画面の維持時間が極端に短い場合、ユーザは処理対応画面を見ながら作業を行っており、引き続き処理対応画面を見ながら作業を行うために操作信号を入力してスクリーンセーバ画面から処理対応画面に復帰させたとみなすことができる。要するに、ユーザは、スクリーンセーバを必要としていなかったとみなすことができ、スクリーンセーバの実行待ち時間を長く設定する。一方、スクリーンセーバ画面の維持時間が長い場合、ユーザの処理対応画面を見ながら行う作業が少ないと見なすことができる。要するに、処理対応画面からスクリーンセーバに切り換えて、表示ユニット３０の焼き付きを防止するために、スクリーンセーバの実行待ち時間を短く設定する。
【００２６】
以上のように、コンピュータ装置１０のユーザがスクリーンセーバ機能を必要としていたか否がを判断し、適切にスクリーンセーバの実行待ち時間を設定する。
上記スクリーンセーバの実行待ち時間を設定するスクリーンセーバ制御装置の処理は、例えば、補助記憶ユニット６０にインストールされたスクリーンセーバ制御装置に関するプログラムがメモリユニット７０に読み出され、演算処理装置８０により図２に示す手順に従って実行される。
【００２７】
図２において、スクリーンセーバの実行待ち時間の間に入力ユニット２０から操作データが入力されないと、演算処理ユニット８０は、表示ユニット３０を処理対応画面からスクリーンセーバ画面に切り換え、ハードウエア又はオペレーティングシステムから供給されるスクリーンセーバが開始された時刻ｔ１をメモリユニット７０に格納する（Ｓ１）。
【００２８】
スクリーンセーバが開始された後、コンピュータ装置１０の入力ユニット２０から操作データが入力されると、演算処置ユニット８０は、表示ユニット３０をスクリーンセーバ画面から処理対応画面に切り換え、ハードウエア又はオペレーティングシステムから供給されるスクリーンセーバが解除された時刻ｔ２をメモリ７０に格納する（Ｓ２）。
【００２９】
続いて、演算処理ユニット８０は、スクリーンセーバが開始された時刻ｔ１とスクリーンセーバが解除された時刻ｔ２とをメモリユニット７０から読み出し、以下の式（１）によりスクリーンセーバ画面の維持時間ｔを算出する。（Ｓ３）
ｔ＝ｔ２−ｔ１・・・・・ （１）
次に、スクリーンセーバの実行待ち時間を可変にする機能を使用するか否かを示すフラグＦの状態を判定する（Ｓ４）。このフラグＦは、例えば、システムの種々の条件を設定する際に、その状態が設定される。例えば、当該機能を使用する場合は、フラグＦが”１”に設定され、当該機能を使用しない場合は、フラグＦが”０”に設定される。
【００３０】
前記フラグＦが”１”に設定されていると判定すると（Ｓ４においてＹＥＳ）、前記のように演算されたスクリーンセーバ画面の維持時間ｔ（＝ｔ２−ｔ１）が予め定められた所定時間ｂより大きいか否かが判定される（Ｓ５）。この所定時間ｂは、次のような観点から決定される。
ユーザは、コンピュータ装置を用いて作業を行っている際、処理対応画面を見ながら特に操作を行わずに表示内容について検討している場合がある。このような場合であっても、スクリーンセーバの実行待ち時間が経過すると、処理対応画面からスクリーンセーバ画面に切り換えられる。その際、ユーザは、作業中であるので切り換えられたスクリーンセーバ画面からすぐに処理対応画面に復帰させるために、適当な入力操作（マウスの操作等）を行う。
【００３１】
このように、スクリーンセーバ画面に切り換えられてから僅かな時間で処理対応画面に復帰した場合は、ユーザは本来スクリーンセーバを必要としなかったと判定することができる。このことから、前記所定時間ｂは、ユーザがスクリーンセーバを必要でなかったと見なすことのできるスクリーンセーバ画面に切り換えられてから処理対応画面に復帰するまでの時間（スクリーンセーバ画面の維持時間）、例えば、１秒程度に設定する。
【００３２】
前記のように演算されたスクリーンセーバの維持時間ｔが所定時間ｂより短いと判定されると（Ｓ５においてＮＯ）、ユーザは本来スクリーンセーバ画面に切り換わってほしくなかったものとして、以下の式（２）により、スクリーンセーバの待ち時間Ｗが時間ａ（例えば３００秒）だけ増加される（Ｓ７）。
Ｗ＝Ｗ＋ａ・・・・・ （２）
一方、スクリーンセーバ画面の維持時間ｔが所定時間ｂより長いと判定されると（Ｓ５においてＹＥＳ）、更に、当該維持時間ｔが所定時間ｓより長いか否かが判定される（Ｓ６）。この所定値ｓは、前記所定時間ｂより大きな値に設定され、後述するように、スクリーンセーバの実行待ち時間Ｗの減少単位時間としても用いられ、例えば、６０秒に設定される。
【００３３】
ここで、前記スクリーンセーバ画面の維持時間ｔが当該所定時間ｓより長いと判定されると（Ｓ６においてＹＥＳ）、更に、現在のスクリーンセーバの実行待ち時間Ｗが当該所定時間ｓより大きいか否かが判定され（Ｓ８）、大きいと判定されると、以下の式（３）により、スクリーンセーバの実行待ち時間Ｗが時間ｓだけ減少される（Ｓ９）。
【００３４】
Ｗ＝Ｗ−ｓ・・・・・ （３）
スクリーンセーバ画面に切り換わってから、ユーザが操作入力を行って、スクリーンセーバ画面から処理対応画面に復帰される毎に、前記処理が繰り返される。その過程で、計測されるスクリーンセーバ画面の維持時間ｔが所定時間ｂより短い場合には、ユーザが本来スクリーンセーバ画面を必要としないと見なし、時間ａを単位にスクリーンセーバの実行待ち時間Ｗが順次増加される。この場合、処理対応画面の継続時間が順次長くなる。
【００３５】
一方、計測されるスクリーンセーバ画面の維持時間ｔが所定時間ｓより長い場合、表示ユニットの焼き付き防止が重視され、時間ｓを単位にしてスクリーンセーバの実行待ち時間Ｗが順次減少される。この場合、処理対応画面が継続される時間が順次短くなる。
このように、スクリーンセーバの実行待ち時間が制御されることにより、ユーザがスクリーンセーバを必要としないと見なせる場合は、処理対応画面の表示時間が長くなり、ユーザはコンピュータ装置を用いてより効率的な作業を行うことができる。また、必ずしもユーザがスクリーンセーバ画面を必要としないと見なせない、即ち、処理対応画面を見ながら行う作業が少ないと見なせる場合は、表示ユニットの焼き付きを防止することを優先させるように、より早いタイミングで処理対応画面からスクリーンセーバ画面への切り換えが行われるようになる。
【００３６】
なお、前記処理の過程で、当該スクリーンセーバの実行待ち時間の可変機能を使用しないとして、フラグＦが”０”に設定されている場合は（Ｓ４においてＮＯ）、スクリーンセーバ画面の維持時間ｔの測定はなされるものの（Ｓ１乃至Ｓ３）、以後の処理は行われない。また、測定されたスクリーンセーバ画面の継続時間ｔが所定時間ｓより小さい場合（Ｓ６においてＮＯ）、特に、スクリーンセーバの実行待ち時間Ｗが変更されることなく、処理は終了する。さらに、スクリーンセーバの実行待ち時間Ｗがその減少の単位時間ｓよりも小さい状態では（Ｓ８においてＮＯ）、それ以上の減算処理は行われない。
【００３７】
なお、上記例において、図１に示す補助記憶ユニット６０が格納手段に対応する。図２に示す処理のうち、ステップ（Ｓ１）での処理が第一の時刻取得手段に対応し、ステップ（Ｓ２）での処理が第二の時刻取得手段に対応し、ステップ（Ｓ３）での処理が時間演算手段に対応し、ステップ（Ｓ７）での処理が待ち時間延長手段に対応し、ステップ（Ｓ９）での処理が待ち時間短縮手段に対応し、ステップ（Ｓ４乃至Ｓ９）での処理が待ち時間制御手段に対応する。
【００３８】
【発明の効果】
上述の如く、請求項１乃至４記載の本発明によれば、スクリーンセーバ画面の維持時間に基づいてユーザがスクリーンセーバを必要としているか否かを判定することができるので、当該スクリーンセーバ画面の維持時間に基づいて処理対応画面からスクリーンセーバ機能への切り換えのタイミングを制御することにより、スクリーンセーバの実行待ち時間はユーザの作業状態を反映したものとなる。
【００３９】
また、請求項５記載の本発明によれば、このようにスクリーンセーバ制御装置での処理をコンピュータに行わせるためのプログラムを格納した記録媒体を提供することができる。
【図面の簡単な説明】
【図１】本発明の実施の一形態に係るスクリーンセーバ制御装置を実現するコンピュータ装置のハードウエアの構成図である。
【図２】本発明の実施の一形態に係るスクリーンセーバ制御装置を実現するコンピュータ装置の処理手順のフローチャートである。
【符号の説明】
１０    コンピュータ装置
２０    入力ユニット
３０    表示ユニット
４０    ドライブユニット
５０    記録媒体
６０    補助記憶ユニット
７０    メモリユニット
８０    演算処理ユニット
【図１】
0003986670.tif 000002
【図２】
0003986670.tif 000003